(57)【要約】【課題】遊技場用エアカーテン装置の吸込口と吹出口とを洗浄用装着物で循環する空気流路を形成するようにつなぎ、洗浄液注入孔から洗浄液を噴霧することによって空気流路を洗浄する。【解決手段】洗浄用装着物２０を装着後、洗浄液注入孔２０ｄより洗浄液を噴霧注入すると、霧状の洗浄液はファン１６の送風に乗り、遊技場用エアカーテン装置１０の空気流路１５と洗浄用装着物２０の空気流路２０ｃとを循環する（（ａ）参照）。循環中の霧状の洗浄液の一部は、重力あるいは遠心力により、洗浄液受入口２０ｅから順次、洗浄液回収容器２１にて回収される（（ｂ）参照）。送風を数分間継続した後、噴霧注入した洗浄液の全てが洗浄液回収容器２１に回収された頃合を見計らって、洗浄液回収容器２１を取り外し、汚れた洗浄液を廃棄する（（ｃ）参照）。【選択図】図５
2008080003.tif 000002
【特許請求の範囲】
【請求項１】
遊技台に隣接され、送風手段と、前記送風手段が送風する空気の吹出口と、前記送風手段の送風に伴い吸い込まれる空気の吸込口と、前記吸込口から前記吹出口ヘと通ずる第１の空気流路とを備えた遊技場用エアカーテン装置において、
前記吹出口の周辺に設けられ洗浄用装着物を装着可能な吹出口用装着手段と、前記吸込口の周辺に設けられ前記洗浄用装着物を装着可能な吸込口用装着手段とを備え、
前記洗浄用装着物は、空気受入口と、空気排出口と、前記空気受入口から前記空気排出口ヘと通ずる第２の空気流路と、前記第２の空気流路に洗浄液を注入可能な注入手段とにより構成され、前記空気受入口を前記吹出口用装着手段に装着するとともに前記空気排出口を前記吸込口用装着手段に装着した状態で、前記送風手段により空気を送風した場合に、前記第１の空気流路内の空気と前記第２の空気流路内の空気とが循環するように構成されたことを特徴とする遊技場用エアカーテン装置。
【請求項２】
前記洗争用装着物は、前記注入手段から注入された洗浄液を回収する洗浄液回収手段を備え、この洗浄液回収手段は、前記注入手段よりも前記空気受入口側に設けられている請求項１記載の遊技場用エアカーテン装置。
【請求項３】
前記洗浄液回収手段は洗浄液受入口を有し、当該洗浄液受入口は前記空気受入口に向かって開口する請求項２記載の遊技場用エアカーテン装置。
【請求項４】
請求項１ないし３のいずれか１項に記載の洗浄用装着物。
【請求項５】
遊技台に隣接され、送風手段と、前記送風手段が送風する空気の吹出口と、前記送風手段の送風に伴い吸い込まれる空気の吸込口と、前記吸込口から前記吹出口ヘと通ずる第１の空気流路とを備えた遊技場用エアカーテン装置の洗浄方法において、
洗浄用装着物が、空気受入口と、空気排出口と、前記空気受入口から前記空気排出口ヘと通ずる空気流路と、前記空気流路に洗浄液を注入可能な注入手段とにより構成され、
前記洗浄用装着物の空気受入口を前記遊技場用エアカーテン装置の吹出口に装着するとともに前記洗浄用装着物の空気排出口を前記遊技場用エアカーテン装置の吸込口に装着する工程と、
前記送風手段により空気を送風させて前記遊技場用エアカーテン装置内の空気と前記洗浄用装着物内の空気とを循環させる工程と、
前記洗浄用装着物内に洗浄液を注入する工程と
を含むことを特徴とする洗浄方法。
【発明の詳細な説明】
【技術分野】
【０００１】
本発明は遊技場用エアカーテン装置，洗浄用装着物，および洗浄方法に関し、特に空気の吸込口および吹出口が装置本体の前面側に設けられた遊技場用エアカーテン装置，それを洗浄するために使用される洗浄用装着物，およびその洗浄方法に関する。
【背景技術】
【０００２】
遊技場では、遊技者が隣り合って遊技を行うため、遊技者が喫煙すると、その伏流煙等が隣の遊技者に流れていき、不快な思いをさせるおそれがある。このような問題を解消するため、例えば、特許文献１では、遊技台間にエアカーテンを形成する遊技場用エアカーテン装置を設けることが提案されている。
【特許文献１】特開平１０-１５２２０号公報
【発明の開示】
【発明が解決しようとする課題】
【０００３】
このような従来の遊技場用エアカーテン装置は、非常に有益であるが、装置自体も汚れた空気を吸い込むために汚れるので、定期的に洗浄等のメンテナンスを行う必要がある。この場合、フィルタの交換は此較的容易であるが、遊技場用エアカーテン装置内部の空気流路については、遊技場用エアカーテン装置を遊技島から取り外した上で、分解して洗浄を行う必要があり、大変な労力を必要とする。
【０００４】
具体的には、遊技場の遊技場用エアカーテン装置では、外部よりタバコの煙を含む汚れた空気を吸い込み、内部で空気の清浄化を行い、清浄化した空気を外部に吹き出している。フィルタや空気清浄機能が付いていて空気をきれいにしているが、長期の運用により、内部の空気が通る流路（空気流路）にはヤニなどの汚れが付着し、不快な臭いの発生源ともなっている。現状では、これらの洗浄には、遊技島に設置されている遊技場用エアカーテン装置を取り外し、かつ、内部を分解して空気流路をクリーナーなどで拭き掃除する必要があり、時間を要し、非常に不便でもあるという問題がある。
【０００５】
本発明の目的は、このような事情に鑑み、吸込口と吹出口とを洗浄用装着物（例えば、ホースのような筒状のもの）で循環する空気流路を形成するようにつなぎ、洗浄用装着物に穿設された洗浄液注入孔から洗浄液（消臭液等を含む）を噴霧することによって、空気流路を容易に洗浄できるようにした遊技場用エアカーテン装置を提供することにある。
【０００６】
また、本発明の他の目的は、遊技場用エアカーテン装置の吸込口および吹出口に対して空気受入口および空気排出口を装着することにより、遊技場用エアカーテン装置内の空気を循環させる空気流路を形成することができる洗浄用装着物を提供することにある。
【０００７】
さらに、本発明の別の目的は、洗浄用装着物を遊技場用エアカーテン装置に装着し、遊技場用エアカーテン装置を作動させた上で、洗浄液を遊技場用エアカーテン装置内の空気と洗浄用装着物内の空気とを循環させることにより、遊技場用エアカーテン装置内の空気流路を洗浄するようにした洗浄方法を提供することにある。
【課題を解決するための手段及び発明の効果】
【０００８】
上記課題を解決するために、請求項１記載の遊技場用エアカーテン装置は、遊技台に隣接され、送風手段と、前記送風手段が送風する空気の吹出口と、前記送風手段の送風に伴い吸い込まれる空気の吸込口と、前記吸込口から前記吹出口ヘと通ずる第１の空気流路とを備えた遊技場用エアカーテン装置において、前記吹出口の周辺に設けられ洗浄用装着物を装着可能な吹出口用装着手段と、前記吸込口の周辺に設けられ前記洗浄用装着物を装着可能な吸込口用装着手段とを備え、前記洗浄用装着物は、空気受入口と、空気排出口と、前記空気受入口から前記空気排出口ヘと通ずる第２の空気流路と、前記第２の空気流路に洗浄液を注入可能な注入手段とにより構成され、前記空気受入口を前記吹出口用装着手段に装着するとともに前記空気排出口を前記吸込口用装着手段に装着した状態で、前記送風手段により空気を送風した場合に、前記第１の空気流路内の空気と前記第２の空気流路内の空気とが循環するように構成されたことを特徴とする。請求項１記載の遊技場用エアカーテン装置によれば、注入手段より注入された洗浄液が空気に混じって、遊技場用エアカーテン装置内の空気流路と洗浄用装着物内の空気流路とを循環することで、遊技場用エアカーテン装置を遊技島から取り外して分解する労力を必要とせずに、遊技場用エアカーテン装置内の空気流路を洗浄することが可能になる。
【０００９】
請求項２記載の遊技場用エアカーテン装置は、請求項１に記載の遊技場用エアカーテン装置において、前記洗争用装着物は、前記注入手段から注入された洗浄液を回収する洗浄液回収手段を備え、この洗浄液回収手段は、前記注入手段よりも前記空気受入口側に設けられていることを特徴とする。請求項２記載の遊技場用エアカーテン装置によれば、洗浄液回収手段により空気流路を洗争した洗浄液を回収可能とするが、洗浄液回収手段が注入手段よりも空気受入口側にあるので、注入手段から注入された洗浄液が遊技場用エアカーテン装置内の空気流路を洗争することなく洗浄液回収手段に直接回収されることがなくなり、吹出口より吹き出された空気に混じった洗浄液のみが洗浄液回収手段に回収されることとなり、洗浄液による遊技場用エアカーテン装置内の洗浄を効率的に行うことが可能となる。
【００１０】
請求項３記載の遊技場用エアカーテン装置は、請求項１または２に記載の遊技場用エアカーテン装置において、前記洗浄液回収手段は洗浄液受入口を有し、当該洗浄液受入口は前記空気受入口に向かって開口することを特徴とする。請求項３記載の遊技場用エアカーテン装置によれば、洗浄液受入口が空気受入口に向かって開口していることから洗浄液を回収しやすくなるとともに、回収した洗浄液を再び空気流路へと戻すおそれがなくなる。
【００１１】
請求項４記載の洗浄用装着物は、請求項１ないし３のいずれか１項に記載されていることを特徴とする。請求項４記載の洗浄用装着物によれば、遊技場用エアカーテン装置の吸込口および吹出口に対して空気受入口および空気排出口を装着することによって遊技場用エアカーテン装置内の空気を循環させる空気流路を形成できるようにしたので、遊技場用エアカーテン装置の送風手段により空気を送風させて空気を循環させるだけで、循環する空気に乗せて注入された洗浄液によって遊技場用エアカーテン装置内の空気流路を簡単に洗浄することができる。
【００１２】
請求項５記載の洗浄方法は、遊技台に隣接され、送風手段と、前記送風手段が送風する空気の吹出口と、前記送風手段の送風に伴い吸い込まれる空気の吸込口と、前記吸込口から前記吹出口ヘと通ずる第１の空気流路とを備えた遊技場用エアカーテン装置の洗浄方法において、洗浄用装着物が、空気受入口と、空気排出口と、前記空気受入口から前記空気排出口ヘと通ずる空気流路と、前記空気流路に洗浄液を注入可能な注入手段とにより構成され、前記洗浄用装着物の空気受入口を前記遊技場用エアカーテン装置の吹出口に装着するとともに前記洗浄用装着物の空気排出口を前記遊技場用エアカーテン装置の吸込口に装着する工程と、前記送風手段により空気を送風させて前記遊技場用エアカーテン装置内の空気と前記洗浄用装着物内の空気とを循環させる工程と、前記洗浄用装着物内に洗浄液を注入する工程とを含むことを特徴とする。請求項５記載の洗浄方法によれば、遊技場用エアカーテン装置の吸込口および吹出口に対して洗浄用装着物の空気受入口および空気排出口を装着して遊技場用エアカーテン装置の送風手段により空気を送風させるだけで、遊技場用エアカーテン装置内の空気と洗浄用装着物内の空気とを循環させることができるようにしたので、循環する空気に乗せて洗浄液を注入することによって遊技場用エアカーテン装置内の空気流路を簡単に洗浄することができる。
【発明を実施するための最良の形態】
【００１３】
遊技場用エアカーテン装置内の空気流路を容易に洗浄できるようにするという目的を、遊技場用エアカーテン装置の吸込口と吹出口とを洗浄用装着物で循環する空気流路を形成するようにつなぎ、遊技場用エアカーテン装置を作動させながら洗浄用装着物に穿設された洗浄液注入孔から洗浄液を噴霧することによって達成した。
【００１４】
以下、本発明の遊技場用エアカーテン装置の実施の形態について、図面を参照して説明する。
【実施例１】
【００１５】
図１は、本発明の実施例１に係る遊技場用エアカーテン装置１０および洗浄用装着物２０を示す斜視図である。また、図２（ａ），（ｂ），（ｃ）は、遊技場用エアカーテン装置１０に洗浄用装着物２０を装着する内部配置イメージ図，吹出口１３の近傍拡大図，洗浄用装着物２０の空気受入口端面図である。
【００１６】
遊技場用エアカーテン装置１０は、図１に示すように、装置本体１１が縦長の直方体状に形成されており、前面下部側には吸込口１２が設けられているとともに、前面上部側にはエアカーテンを形成するように縦長に穿設された吹出口１３が設けられている。また、前面中程には、風量調節釦１４が配設されている。なお、図１中、符号３０は洗浄液注入スプレー、３１はそのノズル３１をそれぞれ示す。
【００１７】
図２（ａ）に示すように、遊技場用エアカーテン装置１０の吸込口１２と吹出口１３との間にはダクト等でなる空気流路１５が形成されており、空気流路１５の吹出口１３寄りには送風手段であるファン１６が配設されている。また、吸込口１２の奥には空気中の塵埃を除去するフィルタ１７が配設されている。さらに、フィルタ１７とファン１６との間の空気流路１５中には、光触媒部材１８ａ（図４参照）を備えるメインの電気回路基板（以下、単にメイン回路という）１８が設けられている。なお、図２（ａ）中、符号１９は、ファン１６等を含む遊技場用エアカーテン装置１０全体に電源を供給する電源基板を示す。
【００１８】
遊技場用エアカーテン装置１０は、ファン１６を回転駆動することで、前面下部側の吸込口１２から空気を吸い込み、フィルタ１７およびメイン基板１８の光触媒部材１８ａにより清浄化された空気を前面上部側の吹出口１３から吹き出し、タバコの煙等を遮断するエアカーテンを形成するとともに、遊技場内の空気を清浄化する。なお、風量調節釦１４の押下に応じて、遊技場用エアカーテン装置１０の風量を、「通常」→「強」→「切」→「通常」と順に切り替え可能である。
【００１９】
遊技場用エアカーテン装置１０は、図３に示すように、遊技台１に隣接して設置して使用される。ただし、遊技台１に隣接して設置されていれば、遊技台１毎に対応して設けられていなくともよい（つまり、遊技台１の数と遊技場用エアカーテン装置１０の数との比は、１対１である必要はなく、２対１等であってもよい）。なお、遊技台１それ自体は周知であるので、詳しい説明を省略する。また、図３中では、遊技台１としてパチンコ遊技機を例示したが、遊技台１はスロットマシン等の他の遊技機であってもよいことはいうまでもない。
【００２０】
吹出口１３の左右側面には、図２（ｂ），（ｃ）に示すように、洗浄用装着物２０の空気受入口２０ａに設けられた逆Ｌ字形の引掛け部２３と掛合される、縦溝に多数の横棒がはしご状に配設されてなる引掛け部受入口１３ａ（本発明の吹出口用装着手段に相当）が形成されている。引掛け部２３を引掛け部受入口１３ａに挿入して下側にスライドさせることにより、引掛け部２３の逆Ｌ字形のフックが横棒に掛合して、洗浄用装着物２０の空気受入口２０ａが吹出口１３に掛合固定される。
【００２１】
また、図１に示すように、吸込口１２の左右側面にも、吹出口１３と同様に、洗浄用装着物２０の空気排出口２０ｂに設けられた逆Ｌ字形の引掛け部（図示せず）と掛合される、縦溝に多数の横棒がはしご状に配設されてなる引掛け部受入口１２ａ（本発明の吸込口用装着手段に相当）が形成されている。引掛け部を引掛け部受入口１２ａに挿入して下側にスライドさせることにより、引掛け部の逆Ｌ字形のフックが横棒に掛合して、洗浄用装着物２０の空気排出口２０ｂが吸込口１２に掛合固定される。
【００２２】
フィルタ１７は、例えば、紙製等のプリーツを直方体状の筐体内に複数層に積み上げることによって形成されており、吸込口１２の奥に交換可能に配設されている。
【００２３】
メイン基板１８には、図４に示すように、図示しないＬＥＤ（Light Emitting Diode）から照射される紫外線等により空気中に含まれる細菌を殺菌したり、臭いを分解したりする二酸化チタン等の光触媒が塗布されてなる光触媒部材１８ａが設けられている。なお、光触媒部材１８ａを配設する形態については、どのようなものであってもよい。紫外線等の照射により、光触媒の浄化作用を促し、空気流路１５を流れる空気を浄化する。
【００２４】
洗浄用装着物２０は、図１および図２（ａ）に示すように、断面が四角形状のＣ字形のダクトで形成され、図２（ｃ）に拡大して示すように、上端開口が垂直面内で縦長のスリット状に形成された空気受入口２０ａとなっている。空気受入口２０ａの周囲には、図２（ｂ），（ｃ）に示すように、ゴム等の弾性体でなるシールド部材２２が配設されているとともに、空気受入口２０ａの左右側面に沿って逆Ｌ字形の引掛け部２３が多数形成されている。引掛け部２３は、図２（ｂ）に示すように、遊技場用エアカーテン装置１０の吹出口１３の左右側面に沿って設けられた引掛け部受入口１３ａに掛合して、吹出口１３と空気受入口２０ａとをシールド部材２２によって水密的に連結する。具体的には、引掛け部２３の全てを引掛け部受入口１３ａに挿入し、下側にスライドさせて掛合固定すると、引掛け部受入口１３ａの周辺に設けられたシールド部材２２によってシールドされて遊技場用エアカーテン装置１０から吹き出される洗浄液を含んだ空気が漏れない構成となる。
【００２５】
洗浄用装着物２０の下端開口も、上端開口と同様に、垂直面内で縦長のスリット状の空気排出口２０ｂとなっている。空気排出口２０ｂの周囲にも、ゴム等の弾性体でなるシールド部材（図示せず）が配設されているとともに、空気排出口２０ｂの左右側面に沿って逆Ｌ字形の引掛け部（図示せず）が多数形成されている。空気排出口２０ｂも、空気受入口２０ａと同様に、引掛け部を、遊技場用エアカーテン装置１０の吸込口１２の左右側面に沿って設けられた引掛け部受入口１２ａ（図１参照）にそれぞれ掛合して、吸込口１２と空気排出口２０ｂとをシールド部材によって水密的に連結することができる。
【００２６】
洗浄用装着物２０の空気受入口２０ａを遊技場用エアカーテン装置１０の吹出口１３に装着するとともに、洗浄用装着物２０の空気排出口２０ｂを遊技場用エアカーテン装置１０の吸込口１２に装着することにより、洗浄用装着物２０内には、遊技場用エアカーテン装置１０の空気流路１５と連通する空気流路２０ｃが形成されることになる。
【００２７】
洗浄用装着物２０の空気排出口２０ｂの手前近傍には、洗浄液注入孔２０ｄ（本発明の注入手段に相当）が穿設されている。洗浄液注入孔２０ｄは、洗浄液注入スプレー３０のノズル３１が挿入可能な大きさに穿設されている。なお、洗浄液注入孔２０ｄには、図示しない弁がついており、ノズル３１を挿入していない場合に空気が漏れないようになっている。
【００２８】
洗浄用装着物２０の洗浄液注入孔２０ｄのさらに手前近傍（すなわち、洗浄液注入孔２０ｄよりも空気受入口２０ａ側）には、洗浄液受入口２０ｅが形成されており、洗浄液受入口２０ｅから垂下する分岐路の下端開口には、洗浄液回収容器２１が着脱自在に取り付けられている。洗浄液受入口２０ｅは、ファン１６による送風方向とは逆向きに開口しており、洗浄液注入孔２０ｄから噴霧注入された洗浄液が遊技場用エアカーテン装置１０内の空気流路１５を洗浄して循環してきたときに、空気流路２０ｃ内で凝集し洗浄用装着物２０の内壁等を伝って流下する洗浄液を洗浄液回収容器２１に回収する役目をする。
【００２９】
洗浄液回収容器２１は、半透明素材で箱体状に形成され、洗浄用装着物２０の洗浄液受入口２０ｅに着脱自在に固定されるようになっている。洗浄液回収容器２１が半透明素材で形成されているので、洗浄液回収容器２１内に回収された洗浄液の量を外側から目視で確認できる。
【００３０】
図５（ａ）〜（ｃ）は、遊技場用エアカーテン装置１０の洗浄方法の順次の工程を説明する工程図である。
【００３１】
次に、このように構成された実施例１に係る遊技場用エアカーテン装置１０の洗浄方法を、洗浄用装着物２０の使用方法とともに説明する。
【００３２】
遊技場用エアカーテン装置１０は、空気流路１５が汚れるため、定期的（２ヶ月に一度程度）に洗浄する必要があり、以下の手順にて遊技場用エアカーテン装置１０内の空気流路１５を洗浄する。
【００３３】
まず、図２に示すように、洗浄用装着物２０の空気受入口２０ａおよび空気排出口２０ｂを、遊技場用エアカーテン装置１０の吹出口１３および吸込口１２にそれぞれ装着し、遊技場用エアカーテン装置１０内の空気流路１５および洗浄用装着物２０内の空気流路２０ｃを空気が循環する環境を作る。
【００３４】
詳しくは、洗浄用装着物２０の空気受入口２０ａに設けられた引掛け部２３の全てを遊技場用エアカーテン装置１０の吹出口１３に設けられた引掛け部受入口１３ａに挿入し、下側にスライドさせて掛合固定する。これにより、引掛け部受入口１３ａの周辺にシールド部材２２が設けられているので、遊技場用エアカーテン装置１０から吹き出される洗浄液を含んだ空気が漏れないようになる。他方、洗浄用装着物２０の空気排出口２０ｂに設けられた引掛け部の全てを遊技場用エアカーテン装置１０の吸込口１２に設けられた引掛け部受入口１２ａに挿入し、下側にスライドさせて掛合固定する。これにより、引掛け部受入口１２ａの周辺にシールド部材が設けられているので、遊技場用エアカーテン装置１０に吹き込まれる洗浄液を含んだ空気が漏れないようになる。
【００３５】
洗浄用装着物２０を遊技場用エアカーテン装置１０に装着した後、風量調節釦１４を押下操作することにより、遊技場用エアカーテン装置１０のファン１６を「強」運転で作動させる。なお、ファン１６を作動させたまま洗浄用装着物２０を装着してもよい。また、洗浄用装着物２０を検知する検知手段（センサ）を遊技場用エアカーテン装置１０に設け、洗浄用装着物２０を検知した場合に遊技場用エアカーテン装置１０が自動的に「強」運転になるようにしてもよい。
【００３６】
遊技場用エアカーテン装置１０のファン１６を「強」運転で作動させた後、洗浄液注入スプレー３０のノズル３１を洗浄用装着物２０の洗浄液注入孔２０ｄより洗浄用装着物２０内に挿入した上で、洗浄液注入スプレー３０のノズル３１から洗浄液を循環する空気の流れの中に霧状に噴霧注入する。なお、洗浄液注入孔２０ｄには図示しない弁がついているので、ノズル３１を挿入している場合にも挿入していない場合にも、空気が漏れることはない。また、フィルタ１７については、例えば紙製であれば洗浄液を吸収するので、取り外した上で洗浄液を注入することが理想的であるが、洗浄後に取り替えることを前提とすれば、装着したままで洗浄液を注入してもよい。
【００３７】
すると、図５（ａ）に示すように、霧状に噴射された洗浄液（小丸で表示）は、循環する空気に乗って吸込口１２より遊技場用エアカーテン装置１０内に吸い込まれ、フィルタ１７を通って、汚れた光触媒部材１８ａ，空気流路１５，およびファン１６を洗浄した上で、吹出口１３より吹き出される。
【００３８】
吹出口１３より吹き出された洗浄液を含む空気は、洗浄用装着物２０の空気受入口２０ａより洗浄用装着物２０内の空気流路２０ｃに取り込まれる。
【００３９】
空気流路２０ｃに取り込まれた空気中の洗浄液の一部は、重量や遠心力等により凝集しあるいは凝集することなく洗浄用装着物２０の内壁等を伝いながら落下して、洗浄液受入口２０ｅから洗浄液回収容器２１へと回収される。一方、洗浄液回収容器２１に回収されなかった洗浄液を含む空気は、再び、吸込口１２から遊技場用エアカーテン装置１０内に吹き込まれる。
【００４０】
このため、洗浄液を含む空気を遊技場用エアカーテン装置１０の空気流路１５と洗浄用装着物２０の空気流路２０ｃとで循環させることができる。
【００４１】
循環中の霧状の洗浄液の一部は、図５（ｂ）に示すように、重力あるいは遠心力により、洗浄液受入口２０ｅから順次、洗浄液回収容器２１にて回収される。ここで、洗浄液受入口２０ｅは、送風方向とは逆向きに開口しており、順向きに開口していないこと、洗浄液回収容器２１の上方に設けられることから、洗浄液の回収は行うが、回収した洗浄液が再び循環することはない。
【００４２】
洗浄液注入後、数分毎に、図５（ｂ）に示すように、半透明の洗浄液回収容器２１内に回収された洗浄液の回収程度を観測し、ほぼ全ての洗浄液が遊技場用エアカーテン装置１０から回収されていなければ、そのまま空気の循環を継続する。
【００４３】
洗浄液回収容器２１内にほぼ全ての洗浄液が遊技場用エアカーテン装置１０から排出された頃合を見計らって、風量調節釦１４を押下操作して遊技場用エアカーテン装置１０のファン１６を「切」とし、洗浄用装着物２０を遊技場用エアカーテン装置１０から取り外す。
【００４４】
最後に、図５（ｃ）に示すように、洗浄用装着物２０から洗浄液回収容器２１を取り外して、回収した洗浄液を廃棄する。
【００４５】
本実施例１によれば、遊技場用エアカーテン装置１０の空気流路１５と洗浄用装着物２０内の空気流路２０ｃとが密閉空間である循環流路を形成するように遊技場用エアカーテン装置１０に洗浄用装着物２０を取り付け、遊技場用エアカーテン装置１０を稼動させることにより、ファン１６が回転して空気を循環させることができる。この循環する空気中に洗浄液を噴霧注入することにより、洗浄液を含む空気が空気流路１５と空気流路２０ｃとを循環して、空気流路１５内が洗浄される。
【実施例２】
【００４６】
図６は、本発明の実施例２に係る遊技場用エアカーテン装置１０を示す要部正面斜視図である。この遊技場用エアカーテン装置１０では、吸込口１２が装置本体１１に直接形成されているのではなく、吸込口１２が装置本体１１の前面から一段下がった面に形成され、かつ吸込口１２の左右側面に沿って引掛け部受入口１２ａが形成されている。吸込口１２の引掛け部受入口１２ａには、通常は、縦方向のスリット４０ｂが複数形成されたカバー板４０の内面側四隅に形成された逆Ｌ字形の引掛け部４０ａが掛合固定されるようになっており、掛合固定された状態でカバー板４０の表面は遊技場用エアカーテン装置１０の前面とほぼ面一となるようになっている。
【００４７】
図示しないが、吹出口１３についても、吸込口１２と同様に、装置本体１１に直接形成されているのではなく、吹出口１３が装置本体１１の前面から一段下がった面に形成され、かつ吹出口１３の左右側面に沿って引掛け部受入口１３ａが形成されている。吹出口１３の引掛け部受入口１３ａには、通常は、縦方向のスリットが形成されたカバー板の内面側四隅に形成された逆Ｌ字形の引掛け部が掛合固定されるようになっており、掛合固定された状態でカバー板の表面は遊技場用エアカーテン装置１０の前面とほぼ面一となるようになっている。
【００４８】
なお、その他の特に言及しない部分については、実施例１に係る遊技場用エアカーテン装置１０および洗浄用装着物２０と同様に構成されているので、それらの詳しい説明を割愛する。
【００４９】
このように構成された実施例２に係る遊技場用エアカーテン装置１０では、カバー板４０を遊技場用エアカーテン装置１０の吸込口１２におよび吹出口１３から取り外した後に、吹出口１３および吸込口１２に洗浄用装着物２０の空気排出口２０ｂおよび空気受入口２０ａが掛合固定される以外は、実施例１に係る遊技場用エアカーテン装置１０と全く同様の作用効果が得られることはいうまでもない。
【００５０】
ところで、上記実施例１および２に係る遊技場用エアカーテン装置１０に関しては、以下のような変形例を考えることができる。
【００５１】
実施例１および２では、遊技場用エアカーテン装置１０への洗浄用装着物２０の装着手段として、遊技場用エアカーテン装置１０の吸込口１２に引掛け部受入口１２ａを設け、吹出口１３に引掛け部受入口１３ａを設けるとともに、洗浄用装着物２０の空気受入口２０ａおよび空気排出口２０ｂに引掛け部２３を設けるようにしたが、装着手段としては引掛けて固定する構成に留まらず、例えば、一方に鉄板、他方に電磁石を設けて磁力により装着するようにしてもよい。
【００５２】
また、実施例１および２では、遊技場用エアカーテン装置１０の前面上部側に吹出口１３を、前面下部側に吸込口１２を設けるようにしたが、吹出口１３と吸込口１２とを逆に配置してもよい。すなわち、遊技場用エアカーテン装置１０の前面上部側に吸込口１２を、前面下部側に吹出口１３を設けるようにしてもよい。このようにした場合には、洗浄用装着物２０の空気受入口２０ａおよび空気排出口２０ｂも上下逆に配置し、洗浄液注入孔２０ｄを空気受入口２０ａよりも空気排出口２０ｂ側に配置し、さらに洗浄液受入口２０ｅも空気受入口２０ａ側に向ける構成とすれば、本実施例１と同じ効果が得られる。
【００５３】
さらに、実施例１および２では、送風手段としてファン１６を１つ設けるようにしたが、空気吸込用のファン１６を別途設けてもよい。
【００５４】
さらにまた、実施例１および２では、注入手段として洗浄用装着物２０に洗浄液注入孔２０ｄを設けるようにしたが、これに限定されず、例えば洗浄用装着物２０自体に洗浄液タンクを設け、そのタンクの洗浄液を注入するように構成してもよい。
【００５５】
また、実施例１または２では、フィルタ１７および光触媒部材１８ａによる空気清浄機能があるように説明したが、遊技場用エアカーテン装置１０は、エアカーテン（空気の吹出）機能を備えていれば十分であり、フィルタ１７および光触媒部材１８ａによる空気清浄機能は必須ではない。
【００５６】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００５７】
【図１】本発明の実施例１に係る遊技場用エアカーテン装置および洗浄用装着物を示す正面斜視図。
【図２】（ａ），（ｂ），（ｃ）は遊技場用エアカーテン装置に洗浄用装着物を装着する内部配置イメージ図，吹出口近傍の拡大図，洗浄用装着物の空気受入口端面図。
【図３】遊技場用エアカーテン装置を設置する遊技機を示す正面模式図。
【図４】メイン基板および光触媒部材の断面イメージ図。
【図５】（ａ），（ｂ），（ｃ）は洗浄用装着物を用いた遊技場用エアカーテン装置の洗浄手順を説明する工程図。
【図６】本発明の実施例２に係る遊技場用エアカーテン装置および洗浄用装着物を示す正面斜視図。
【符号の説明】
【００５８】
１０  遊技場用エアカーテン装置
１１  装置本体
１２  吸込口
１２ａ  引掛け部受入口（吸込口用装着手段）
１３  吹出口
１３ａ  引掛け部受入口（吹出口用装着手段）
１４  風量調節釦
１５  空気流路
１６  ファン（送風手段）
１７  フィルタ
１８  メイン基板
１９  電源基板
２０  洗浄用装着物
２０ａ  空気受入口
２０ｂ  空気排出口
２０ｃ  空気流路
２０ｄ  洗浄液注入孔（注入手段）
２０ｅ  洗浄液受入口（洗浄液回収手段）
２１  洗浄液回収容器（洗浄液回収手段）
２２  シールド部材
２３  引掛け部
４０  カバー板
４０ａ  引掛け部
【図１】
2008080003.tif 000003
【図２】
2008080003.tif 000004
【図３】
2008080003.tif 000005
【図４】
2008080003.tif 000006
【図５】
2008080003.tif 000007
【図６】
2008080003.tif 000008